(57)【特許請求の範囲】
【請求項１】
床下地板の上に重ねて補強板が敷設固定され、補強板の上に設備等が設置され、設備等は、床上からネジ込まれ、床下地板及び補強板の両方に渡ってネジ込まれたネジによって固定され、設備等を転倒防止可能にする建物床への設備等の設置構造であって、
前記補強板は少なくとも表面に予め化粧が施され、
前記建物床を構成する床下地板のうちで、補強板が敷設されない部分の上には床仕上板が敷設固定されており、補強板の板厚が床仕上板の板厚より大きくされ、補強板に相突き合わされる床仕上板の１辺の上には、補強板の端面に接する床見切材が固定され、
前記設備等は隔壁によって区画された収納空間内に設けられ、前記補強板の少なくとも２辺は、該隔壁の近傍にある建物床への設備等の設置構造。
【請求項２】
前記設備等の上方に棚が設けられていることを特徴とする請求項１に記載の建物床への設備等の設置構造。
【発明の詳細な説明】
【技術分野】
【０００１】
本発明は建物床への設備等の設置構造に関する。
【背景技術】
【０００２】
従来、建物床への設備等の設置構造として、特許文献１、２に記載のものがある。
【０００３】
特許文献１は、建物の床面の上に所定の間隔を介して固定されたフリーアクセス床に電子機器を設置するに際し、建物の床面に固定されたアンカーボルトのネジ部をフリーアクセス床、及び電子機器の側の床固定金具に挿通し、このアンカーボルトのネジ部に螺着された上下２個のナットの間にそれらのフリーアクセス床と床固定金具とを締結するものを開示している。
【０００４】
特許文献２は、建物の床面上に便器のフレームを立設するに際し、便器のフレームが床板を挟まずに床根太上に載置され、該フレームの上から該床根太に挿通されるボルトのネジ部に床下からナットを螺着し、該フレームを該床根太にボルト固定するものを開示している。
【０００５】
尚、建物の床構造として、特許文献３には、地震等で建物の全体が横揺れしても、床の目地が持ち上がったり、ずれたり、広がったりしないように、第１床板の全面の上に第２床板を重ね、かつそれらの両床板の目地を一致させないようにしたものを開示している。
【先行技術文献】
【特許文献】
【０００６】
【特許文献１】特開2003-221924
【特許文献２】特開2007-309051
【特許文献１】特許2965795
【発明の概要】
【発明が解決しようとする課題】
【０００７】
特許文献１、２に記載の建物床への設備等の設置構造にあっては、電子機器や便器のフレームの如くの設備等が床板又は床根太を上下に貫通するボルト、及び該ボルトに螺着されるナットによって固定される。従って、設備等の固定作業を床上と床下の双方から行なう必要があり床上からのみでは固定作業できない。
【０００８】
設備等を床上からの固定作業のみで建物床に固定することが望ましいが、床上から床板にネジ込ませる、いわゆるビス等のネジによって設備等を固定するときには、ネジ１本当たりの固定強度が低い。
【０００９】
尚、特許文献３に記載の建物の床構造は、第２床板により第１床板の全面を覆うものであり、第１床板を床下地板とし、第２床板を床仕上板とするものであり、設備等の設置構造に関するところは一切ない。
【００１０】
本発明の課題は、建物床への設備等の設置構造において、床上からの固定作業のみで、設備等を強固に固定することにある。
【課題を解決するための手段】
【００１１】
請求項１に係る発明は、床下地板の上に重ねて補強板が敷設固定され、補強板の上に設備等が設置され、設備等は、床上からネジ込まれ、床下地板及び補強板の両方に渡ってネジ込まれたネジによって固定され、設備等を転倒防止可能にする建物床への設備等の設置構造であって、前記補強板は少なくとも表面に予め化粧が施され、前記建物床を構成する床下地板のうちで、補強板が敷設されない部分の上には床仕上板が敷設固定されており、補強板の板厚が床仕上板の板厚より大きくされ、補強板に相突き合わされる床仕上板の１辺の上には、補強板の端面に接する床見切材が固定され、前記設備等は隔壁によって区画された収納空間内に設けられ、前記補強板の少なくとも２辺は、該隔壁の近傍にあるようにしたものである。
【００１２】
請求項２に係る発明は、請求項１に係る発明において更に、前記設備等の上方に棚が設けられているようにしたものである。
【発明の効果】
【００１６】
（請求項１）
(a)設備等は、その取付フランジ等に挿通されるネジを、床上から、床下地板及び補強板の両方に渡ってネジ込むことにて固定される。一般に板厚ｔmmの板に深さｔmmでネジ込まれたネジの固定強度に寄与する有効深さｋは（t-5）mmと考えられている。即ち、床下地板の板厚を例えば20mm、補強板の板厚を例えば20mmとするとき、床下地板のみに深さ20mmでネジ込まれたネジの有効深さｋ1は（20-5）＝15mmとなる。他方、重ね合せた床下地板と補強板の両方に渡る深さ40mmでネジ込まれたネジの有効深さｋ2は（40-5）＝35mmとなる。従って、設備等を固定するネジを重ね合せた床下地板と補強板の両方に渡ってネジ込んだときの固定強度は、床下地板のみにネジ込んだときに比し、ｋ2／ｋ1＝35／15＝2.3倍となり、重ね合せによる板厚の増加割合である２倍以上の補強効果が得られる。これにより、本発明によれば、ネジ１本当たりの固定強度が高くなり、設備等の固定に供されるネジの使用本数を少なくできるし、床上からの固定作業のみで設備等を強固に固定し、地震等による設備等の転倒を確実に防止できる。また、ナットを使用しないので部材費用も安価である。
【００１７】
(b)設備等の周辺で、補強板を床下地板の上に重ねて敷設固定するために、床下地板及び補強板の両方に渡ってネジ込まれるネジについても、当該ネジ１本当たりの固定強度は上述(a)における設備等を固定するためのネジと同様に高くなる。よって、補強板の固定に供されるネジの使用本数も少なくでき、建物床の見栄えのために化粧等を施された補強板の美的外観を向上できる。
【００１８】
(c)前記建物床を構成する床下地板のうちで、補強板が敷設されない部分の上には床仕上板が敷設固定されており、補強板の板厚が床仕上板の板厚より大きくされる。即ち、本発明では、設備等を床下地板及び床仕上板の両方に渡ってネジ込まれるネジによって固定するものと異なり、設備等を床下地板及び補強板の両方に渡ってネジ込まれるネジによって固定するものとした。従って、設備等のためのネジ１本当たりの固定強度は、補強板の板厚を床仕上板の板厚より大きくした分だけ高くなり、設備等を強固に固定できる。
補強板と床仕上板の相突き合わされる部分で、板厚の大きい補強板の端面は床見切材によって隠されて化粧される。
【００１９】
(d)前記設備等は隔壁によって区画された収納空間内に設けられ、前記補強板の少なくとも２辺は、該隔壁の近傍にある。これにより、収納空間内で、補強板の外縁が隔壁との間に凹所を形成することがなく、収納空間内の床面に塵がたまりにくくなるし、すっきりとした美的外観を得ることができる。
【００２０】
（請求項２）
(e)前記設備等の上方に棚が設けられる。建物内で、設備等の上方空間を有効利用できる。
【図面の簡単な説明】
【００２１】
【図１】図１は建物床への設備等の設置構造を示す模式平面図である。
【図２】図２は図１のII−II線に沿う断面図である。
【図３】図３は図１のIII−III線に沿う断面図である。
【図４】図４は建物床への設備等の設置構造を示す模式斜視図である。
【図５】図５は建物床のネジ固定構造を示す模式図である。
【発明を実施するための形態】
【００２２】
図１〜図４に示す建物１０は、基礎１１の上に土台１２を載置し、この土台１２の上に建物床１０Ａを構築している。建物床１０Ａは土台１２の上に床根太１３を支持し、床根太１３の上に床下地板１４を敷設している。
【００２３】
建物１０は、建物床１０Ａを形成している床下地板１４の相直交する桁側と妻側の外縁部に外壁２１、２１を立設するとともに、床下地板１４において外壁２１に囲まれる内部の適宜位置に間仕切２２を立設している。外壁２１と間仕切２２は、居室２３に対して収納空間２４を区画する隔壁である。居室２３に対する収納空間２４の出入口部には折り戸２５が開閉可能に設けられている。
【００２４】
建物１０は、収納空間２４の内部に本発明の設備等の一例である蓄電ユニット３０を設置可能にしている。建物１０は、収納空間２４の内部で、建物床１０Ａを形成している床下地板１４の上に重ねて補強板３１をビス等のネジ３２により敷設固定し（図５（Ａ））、この補強板３１の上に蓄電ユニット３０を設置している。補強板３１は少なくとも表面に予め塗装等の化粧が施される。
【００２５】
また、蓄電ユニット３０は、その底部の両側縁部に設けた取付フランジ３０Ｆに形成してあるネジ孔にビス等のネジ３３が挿通され、このネジ３３を建物床１０Ａの床上から該建物床１０Ａを形成している床下地板１４及び補強板３１の両方に渡ってネジ込むことにて該建物床１０Ａに固定される（図５（Ｂ））。これにより、地震等による蓄電ユニット３０の転倒防止が図られる。
【００２６】
ここで、床下地板１４と補強板３１は合板又はパーチクルボード等からなり、それらの板厚を例えば20mmとする。そして、床下地板１４と補強板３１を固定するネジ３２の床下地板１４及び補強板３０へのネジ込み深さは20＋20＝40mmとされる。また、蓄電ユニット３０の取付フランジ３０Ｆを床下地板１４及び補強板３１に固定するネジ３３の床下地板１４及び補強板３１へのネジ込み深さは20＋20＝40mmとされる。
【００２７】
また、補強板３１は、その少なくと２辺、本実施例では相直交する外壁２１、２１及び間仕切２２に沿う３辺を、それらの外壁２１、２１及び間仕切２２からなる隔壁の近傍に隙間なく、又は小隙間を介して配置する。補強板３１の上記３辺の上には、それらの外壁２１、２１及び間仕切２２からなる隔壁の表面に接する巾木３４が固定される。
【００２８】
尚、蓄電ユニット３０が設置された収納空間２４の床下には、蓄電ユニット３０の重量を支える２本の束４０及び大引４１が設けられる。２本の束４０は、図２、図３に示す如く、基礎１１の上に立設され、大引４１を介して、収納空間２４の床内にある床根太１３を支持する。
【００２９】
更に、建物１０にあっては、建物床１０Ａを形成する床下地板１４のうちで、補強板３１が敷設されない部分の上に、床仕上板１５を敷設固定してあり、補強板３１の板厚を床仕上板１５の板厚より大きくしている。本実施例では、建物床１０Ａにおいて、居室２３の部分には床仕上板１５が敷設され、蓄電ユニット３０が設置される収納空間２４の内部には補強板３１が敷設されるものになる。収納空間２４の出入口部にて補強板３１に相突き合わされる床仕上板１５の１辺の上には、収納空間２４の出入り口部に位置する補強板３１の端面に接する床見切材１６が固定される。
【００３０】
ここで、床仕上板１５はフローリング等からなり、その板厚を例えば12mmとする。
【００３１】
尚、建物１０にあっては、収納空間２４の内部における蓄電ユニット３０の上方に、物品を収納するための棚（不図示）を設けることができる。
【００３２】
本実施例によれば以下の作用効果を奏する。
(a)蓄電ユニット３０は、その取付フランジ３０Ｆ等に挿通されるネジ３３を、床上から、床下地板１４及び補強板３１の両方に渡ってネジ込むことにて固定される。一般に板厚ｔmmの板に深さｔmmでネジ込まれたネジの固定強度に寄与する有効深さｋは（t-5）mmと考えられている。即ち、床下地板１４の板厚を例えば20mm、補強板３１の板厚を例えば20mmとするとき、床下地板１４のみに深さ20mmでネジ込まれたネジの有効深さｋ1は（20-5）＝15mmとなる。他方、重ね合せた床下地板１４と補強板３１の両方に渡る深さ40mmでネジ込まれたネジの有効深さｋ2は（40-5）＝35mmとなる。従って、蓄電ユニット３０を固定するネジ３３を重ね合せた床下地板１４と補強板３１の両方に渡ってネジ込んだときの固定強度は、床下地板１４のみにネジ込んだときに比し、ｋ2／ｋ1＝35／15＝2.3倍となり、重ね合せによる板厚の増加割合である２倍以上の補強効果が得られる。これにより、本発明によれば、ネジ１本当たりの固定強度が高くなり、蓄電ユニット３０の固定に供されるネジ３３の使用本数を少なくできるし、床上からの固定作業のみで蓄電ユニット３０を強固に固定できる。また、ナットを使用しないので部材費用も安価である。
【００３３】
(b)蓄電ユニット３０の周辺で、補強板３１を床下地板１４の上に重ねて敷設固定するために、床下地板１４及び補強板３１の両方に渡ってネジ込まれるネジ３２についても、当該ネジ１本当たりの固定強度は上述(a)における蓄電ユニット３０を固定するためのネジと同様に高くなる。よって、補強板３１の固定に供されるネジ３２の使用本数も少なくでき、建物床１０Ａの見栄えのために化粧等を施された補強板３１の美的外観を向上できる。
【００３４】
(c)前記建物床１０Ａを構成する床下地板１４のうちで、補強板３１が敷設されない部分の上には床仕上板１５が敷設固定されており、補強板３１の板厚が床仕上板１５の板厚より大きくされる。即ち、本発明では、蓄電ユニット３０を床下地板１４及び床仕上板１５の両方に渡ってネジ込まれるネジによって固定するものと異なり、蓄電ユニット３０を床下地板１４及び補強板３１の両方に渡ってネジ込まれるネジ３３によって固定するものとした。従って、蓄電ユニット３０のためのネジ１本当たりの固定強度は、補強板３１の板厚を床仕上板１５の板厚より大きくした分だけ高くなり、蓄電ユニット３０を強固に固定できる。
【００３５】
(d)前記蓄電ユニット３０は隔壁（外壁２１、間仕切２２）によって区画された収納空間内に設けられ、前記補強板３１の少なくとも２辺は、該隔壁（外壁２１、間仕切２２）の近傍にある。これにより、収納空間内で、補強板３１の外縁が隔壁（外壁２１、間仕切２２）との間に凹所を形成することがなく、収納空間２４内の床面に塵がたまりにくくなるし、すっきりとした美的外観を得ることができる。
【００３６】
(e)前記蓄電ユニット３０の上方に棚が設けられる。建物内で、蓄電ユニット３０の上方空間を有効利用できる。
【００３７】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の適用によって建物床に設置される設備等は、蓄電ユニット３０に限らず、便器等の衛生設備等であっても良い。
【産業上の利用可能性】
【００３８】
本発明は、床下地板の上に重ねて補強板が敷設強固され、補強板の上に設備等が設置され、設備等は、床上からネジ込まれ、床下地板及び補強板の両方に渡ってネジ込まれたネジによって固定されているものとした。これにより、建物床への設備等の設置構造において、床上からの固定作業のみで、設備等を強固に固定できる。
【符号の説明】
【００３９】
１０  建物
１０Ａ  建物床
１４  床下地板
１５  床仕上板
１６  床見切材
２１  外壁（隔壁）
２２  間仕切（隔壁）
２４  収納空間
３０  蓄電ユニット（設備等）
３１  補強板
３２、３３  ネジ
【要約】
【課題】  建物床への設備等の設置構造において、床上からの固定作業のみで、設備等を強固に固定すること。
【解決手段】  建物床１０Ａへの設備等３０の設置構造において、床下地板１４の上に重ねて補強板３１が敷設固定され、補強板３１の上に設備等３０が設置され、設備等３０は、床上からネジ込まれ、床下地板１４及び補強板３１の両方に渡ってネジ込まれたネジ３３によって固定されているもの。
【選択図】  図２【図１】
0005474244.tif 000002
【図２】
0005474244.tif 000003
【図３】
0005474244.tif 000004
【図４】
0005474244.tif 000005
【図５】
0005474244.tif 000006